(57)【要約】      （修正有）【課題】被験者のツボや筋肉に、体重が長時間負荷されると起こる痛みを解消する腰痛対策座具を提供する。【解決手段】ツボや筋肉を被験者の体重で押圧伸展可能な座板４を有し座板を被験者方向前後に回転して形を変更して押圧伸展する圧力を調整可能な座面と普通に着座可能な座面を、表裏の位置に有する座具２と、座具を前後に移動が可能に挟持可能な支持枠を有する座具受具３で構成する。座板を前後回転し座面の形を変え、あるいは座具を前後移動して、あるいは座具の表裏を切り替えて反転し、座面を至適な状態にいつでも切り替えて、体重がツボや筋肉に負荷される時間を制御してツボや筋肉に体重が長時間負荷されて起こる痛みを解消する仕組みである。【選択図】図１
2019188101.tif 000002
【特許請求の範囲】
【請求項１】
被験者方向前後に回転可能で座具の幅方向で左右に延伸する押圧伸展部を有する座板を少なくとも１個有する座具と、座床に座具を挟持可能な支持枠を設けた座具受具で構成し、座具を被験者方向前後に移動や反転して使用可能で、また座具を表裏反転して使用可能であることを特徴とする腰痛対策座具。
【請求項２】
被験者方向前後に回転可能で座具の幅方向で左右に延伸する押圧伸展部を有する座板を少なくとも１個と、被験者が着座可能な座面として使用可能な底板を有する座具と、座床に座具を挟持可能な支持枠を設けた座具受具で構成することを特徴とする請求項１記載の腰痛対策座具。
【請求項３】
被験者方向前後に回転可能で座具の幅方向で左右に延伸する押圧伸展部を有する座板を少なくとも１個有する座具と、被験者方向前後に回転可能で座具の幅方向で左右に延伸する押圧伸展部を有する座板を少なくとも１個有し、座床に座具を挟持可能な支持枠を設けた座具受具で構成することを特徴とする請求項２記載の腰痛対策座具。
【請求項４】
座具の幅方向で左右に延伸する押圧伸展部と回転軸を有する座板と、座板の回転軸を取り付け座板が被験者方向前後に回転可能な軸受部を有する横枠があって、横枠に座板を少なくとも１個取り付けて、座板を取り付けた横枠に底板を取り付けた座具と、座床の左右に座具を挟んで布置可能に支持枠を取り付けた座具受具で構成することを特徴とする請求項２記載の腰痛対策座具。
【請求項５】
座具の幅方向で左右に延伸する押圧伸展部と回転軸を有する座板と、座板の回転軸を取り付け座板が被験者方向前後に回転可能な軸受部を有する横枠と、被験者が着座可能な座面として使用可能な底板があって、横枠に座板を少なくとも１個取り付けて、座板を取り付けた横枠に底板を取り付けた座具と、座床の左右に座具を挟んで布置可能に支持枠を取り付けた座具受具で構成することを特徴とする請求項２又は請求項４記載の腰痛対策座具。
【請求項６】
被験者方向前後に回転可能で座具の幅方向で左右に延伸する押圧伸展部を有する座板を少なくとも１個有する座具と、座具の幅方向で左右に延伸する押圧伸展部を有する座板と、支持枠と、座板があって、座板を座床の被験者方向前部の概中央部に取り付け、座床の座板と座具を挟んで布置可能な位置に支持枠を取り付けた座具受具で構成することを特徴とする請求項３記載の腰痛対策座具。
【請求項７】
座具の幅方向で左右に延伸する押圧伸展部と回転軸を有する座板と、被験者方向前方に座板の回転軸を取り付ける軸受部と被験者方向後方に座板の回転軸を取り付ける長穴を有する横枠と、座板があって、軸受部と長穴に座板の回転軸を取り付けて横枠に座板を取り付けて、さらに座板を取り付けた横枠を底板に取り付けた座具と、座具受持部を有する支持枠と座床があって、支持枠の被験者方向前部に座床を取り付け、座床の後方に座板部を収納可能な座板収納部を形成可能な座具受具で構成することを特徴とする請求項２記載の腰痛対策座具。
【請求項８】
（イ）座具の幅方向で左右に延伸する押圧伸展部と被験者方向後位置に長穴を有する座板と、座具の幅方向で左右に延伸する押圧伸展部と被験者方向前位置に軸受部を有する座板があって、
（ロ）被験者方向前に位置する座板の長穴と被験者方向後に位置する座板の軸受部に、回転軸を挿し入れて、被験者方向前に位置する座板を回転可能に、また被験者方向後に位置する座板を回転とスライドが可能に組み立てた座具と、２本の支持枠と１枚の座床があって、支持枠を座床の左右に座具を挟んで布置可能で、また座具が前後に移動可能に取り付けた座具受具で構成することを特徴とする請求項２記載の腰痛対策座具。
【請求項９】
被験者方向前後に回転可能で押圧伸展部を有する座板を少なくとも１個を有し、座板を回転して、被験者が位置して着座すると、座板の押圧伸展部が被験者の筋肉やツボに当接可能な臀部収容空間部を形成可能で、また被験者が位置して着座すると、座板と背凭れで被験者の上体を支持して腰臀部を吊り下げ浮腰して支持可能な臀部収容空間部を形成可能な仕組みを有する座具と、座具を挟持可能な支持枠を座床に有する座具受具で構成することを特徴とする請求項４又は請求項５又は請求項６又は請求項７又は請求項８記載の腰痛対策座具。
【発明の詳細な説明】
【技術分野】
【０００１】  本発明は座骨周辺の筋肉あるいは大腿付根周辺の筋肉に体重が長時間負荷されて起こる痛みを解消する腰痛対策座具に関するものである。
【背景技術】
【０００２】  筋肉やツボに当接して押圧又は伸展可能な押圧伸展部を有する、被験者が臀部を位置して背もたれに上体をあずけて着座し腰臀部を吊り下げて支持可能な臀部収容空間部を有する、又は押圧伸展部と臀部収容空間部の両方を有するなどの腰痛対策器具がある。こうした腰痛対策器具の仕組みは、座骨周辺の筋肉、或いは大腿付根周辺の筋肉に体重を負荷して押圧伸展する。又は、大腿付根部分と背中で上体を支持して腰臀部を吊り下げて腰部周辺の筋肉を体重の負荷から解放あるいは略牽引するものである。
【先行技術文献】
【特許文献】
【０００３】
【特許文献１】特願２０１４−７８１８７号公報
【発明の概要】
【発明が解決しようとする課題】
【０００４】  筋肉やツボに当接して押圧又は伸展する。あるいは、被験者が臀部を位置して背もたれに上体を当接して着座し腰臀部を吊り下げて支持する腰痛対策器具がある。これには座骨周辺の筋肉、或いは大腿付根周辺の筋肉に長時間体重が負荷されることがあって、これが原因で筋肉が疲労し痛みを誘発することがある。
これを解消する対策に、適時、姿勢を変え座り直す方法があって、座部を回転させて姿勢に応じて座面の形を変える仕組みがある。これで、座骨周辺の筋肉、或いは大腿付根周辺の筋肉に体重が負荷される時間を分散することができるが、時間を短縮することはできないので、着座時間が長時間になると筋肉の疲労が蓄積されて痛みがおきてしまう。本発明はこの課題を解決するためになされたものである。
【課題を解決するための手段】
【０００５】  座具の幅方向で左右に延伸する押圧伸展部を有する座板を少なくとも１個を２本の横枠で回転可能に挟んで、さらに座板を取り付けた横枠を底板に取り付けた座具と、座床の左右に座具を挟んで布置可能で、さらに座具が前後に移動可能に支持枠を取り付けた座具受具で構成する。【０００６】  座具の幅方向で左右に延伸する押圧伸展部を有する座板に、横枠を座板の左右両側に取り付けて、さらに横枠を底板に固定して取り付けた座具と、座具の幅方向で左右に延伸する押圧伸展部を有する座板を座床の被験者方向前部の概中央部に取り付け、支持枠を座床の左右に座具を挟んで布置可能な位置に、さらに座具の横枠が座板と支持枠との間を前進後退が可能で座具が前後に移動可能に取り付けた座具受具で構成する。【０００７】  座具の幅方向で左右に延伸する押圧伸展部を有する座板を回転可能に取り付けた横枠を底板に取り付けて、座板の後下方に臀部収容空間部を形成可能な座具と、
被験者方向後部に座具の座板を収容可能な座板収容空間部を有する座床があって、支持枠を座板が回転可能に座板の左右両側に取り付けて、さらに座床の被験者方向前部で座板と座床の間に底板挿入空間部を設けて座板を取り付けた支持枠を座床に取り付けて、また座板の後下方に臀部収容空間部を形成可能な座具受具で構成する。【０００８】  座具の幅方向で左右に延伸する押圧伸展部を有する座板を２個並置して回転可能、又は回転可能で左右にスライド可能に心棒に通して取り付けて、さらに座板を取り付けた心棒の左右に横枠を取り付けて、心棒を取り付けた横枠を底板に取り付けた座具と、座具を挟んで座具が被験者方向前後に移動可能に支持枠を左右に設けた座床に、押圧伸展部を有する座板を座床の被験者方向前部に少なくとも１個取り付けた座具受具で構成する。【０００９】  ２本の横枠と座具の幅方向で左右に延伸する押圧伸展部を有する座板が２個と底板があって、横枠に２個の座板を回転可能に取り付けて、さらに座板を取り付けた横枠を底板に取り付けた座具と、座具の横枠を受持可能な座具受持部を有する支持枠と座床があって、支持枠の被験者方向前部に座床を挟んで取り付けて、座床の後方に座板の座板部を収納可能な座板収納部を形成可能な座具受具で構成する。【００１０】  押圧伸展部を有する座板を少なくとも１個有する座具と、座床に座具を挟持可能な支持枠を設けた座具受具があって、さらに、座具と座具受具に臀部収容空間部を設けて被験者の腰臀部を吊り下げて収容可能で、又被験者の腰部周辺の筋肉を略牽引可能とする仕組みである。【００１１】  押圧伸展部を有する座板を少なくとも１個と被験者が着座可能な座面として使用可能な底板を有する座具と、座床に座具を挟持可能な支持枠を設けた座具受具で構成し、座具を被験者方向前後に移動可能で、又は反転して使用可能で、又は座具を表裏反転して使用可能な構成である。【００１２】  押圧伸展部を有する座板を少なくとも１個有する座具と、座床に座具を挟持可能な支持枠を設けた座具受具で構成し、座床の被験者方向後に、座板や被験者の腰臀部を収容可能な座板収納部を設けた。【００１３】  押圧伸展部を有する座板を少なくとも１個と被験者が着座可能な座面として使用可能な底板を有する座具と、座床に座具を挟持可能な支持枠を設けた座具受具で構成し、座具の底面に、被験者が座具を表裏反転して使用して着座可能な緩衝材を設けた。
【発明の効果】
【００１４】  座骨周辺の筋肉あるいは大腿付根周辺の筋肉に、体重が長時間負荷されて起こる痛みを座骨周辺の筋肉あるいは大腿付根周辺の筋肉に体重が負荷されない時間を設けることを可能にして痛みを解消することができるようになった。
【図面の簡単な説明】
【００１５】
【図１】本発明の第１実施形態を示す腰痛対策座具の斜視図である。
【図２】本発明の第１実施形態の座具と座具受具の斜視図である。
【図３】本発明の第１実施形態の座具受具の斜視図である。
【図４】本発明の第１実施形態で座板の組み合わせ方法の説明図である。
【図５】本発明の第１実施形態で座具と座具受具の使い方の説明図である。
【図６】本発明の第１実施形態で座具と座具受具の使い方の説明図である。
【図７】本発明の第１実施形態で座具と座具受具の使い方の説明図である。
【図８】本発明の第１実施形態で座具と座具受具の使い方の説明図である。
【図９】本発明の第１実施形態で座板の使い方の説明図である。
【図１０】本発明の第１実施形態で座具の使い方の説明図である。
【図１１】本発明の第１実施形態で座具の使い方の説明図である。
【図１２】本発明の第１実施形態で座具の使い方の説明図である。
【図１３】本発明の第１実施形態で座具の使い方の説明図である。
【図１４】本発明の第２実施形態でザブトン付き座具の腰痛対策座具の斜視図である。
【図１５】本発明の第２実施形態で座具の裏面図である。
【図１６】本発明の第２実施形態で座具の側面図である。
【図１７】本発明の第３実施形態で３個の座板で構成する座具を使う腰痛対策座具の斜視図である。
【図１８】本発明の第３実施形態で３個の座板で構成する座具を使う腰痛対策座具の斜視図である。
【図１９】本発明の第４実施形態の腰痛対策座具の概略図である。
【図２０】本発明の第４実施形態の腰痛対策座具の上面図である。
【図２１】本発明の第５実施形態の腰痛対策座具の概略図である。
【図２２】本発明の第５実施形態の腰痛対策座具の上面図である。
【図２３】本発明の第６実施形態の腰痛対策座具の概略図である。
【図２４】本発明の第６実施形態の腰痛対策座具の上面概略図である。
【図２５】本発明の第７実施形態の腰痛対策座具の概略図である。
【図２６】本発明の第７実施形態の腰痛対策座具の上面概略図である。
【図２７】本発明の第８実施形態の座具と座具受具の概略図である。
【図２８】本発明の第８実施形態の座具と座具受具の概略図である。
【図２９】本発明の第８実施形態の座具の概略図である。
【図３０】本発明の第８実施形態の座具受具の概略図である。
【図３１】本発明の第９実施形態で椅子型の座具受具３で構成する腰痛対策椅子の概略図である。
【図３２】本発明の第１０実施形態の座具の斜視図である。
【図３３】本発明の第１０実施形態の座具と座具受具の上面図である。
【図３４】本発明の第１０実施形態の座具の組立図である。
【図３５】本発明の第１０実施形態の使用説明図である。
【図３６】本発明の第１１実施形態の座具と座具受具の斜視図である。
【発明を実施するための形態】
【００１６】以下本発明の実施形態について説明する。
［第１実施形態］
【００１７】  本実施例に示す腰痛対策座具１は、図１に示すように座具２と座具受具３を組み合わせて使用する腰痛対策器具である。
（１）座具
Ａ．座具２は２本の横枠６と２個の座板４と１枚の底板７で構成する。
Ｂ．座板４には、筋肉やツボに当接して押圧又は伸展可能な座具の幅方向で左右に延伸する押圧伸展部（押圧頂面）５と回転軸１３があって、
Ｃ．横枠には回転軸１３を取り付ける軸受部１９があって、座板４が回転軸１３を軸受部１９に差し込んで横枠６に取り付けられる。
Ｄ．座板４に横枠６を左右両側に、座板４が被験者方向前後に回転可能に取り付け、
Ｅ．座板４を取り付けた横枠６を底板７に取り付けたものである。
（２）座具受具
Ａ．座具受具３は２本の支持枠１１と１枚の座床１０で構成する。
Ｂ．座床１０に座具２を左右両側から挟んで布置可能で、さらに
Ｄ．座具２が前後に移動可能に支持枠１１を取り付けたものである。
【００１８】  臀部収容空間部８に被験者が臀部を位置すると押圧伸展部５は被験者の筋肉やツボに当接可能である。
（１）図１に示すように、臀部収容空間部８は座板４の前後の位置に形成される。
（２）図４に示すように、臀部収容空間部８に臀部を位置すると、座骨２２（臀の後部にあって骨盤を組み立てる左右一対の骨）を位置される。
【００１９】  押圧伸展部５は、
（１）図４〜図９で明らかなように、座具２の幅方向に延伸する座板４があって、座板４の概角部にあってり、座具２の幅方向に延伸する頂面で、
（２）被験者が腰臀部を臀部収容空間部８に位置すると当接する筋肉やツボを押圧又は伸展可能な頂面である。
【００２０】  本実施例に示す腰痛対策座具１を構成する座具２の筋肉やツボを押圧伸展する機能と仕組みを説明する。また、図示していないが腰痛対策座具１を実際に使用する場合は座具２の上に座布団などのクッションを置いて使用される。
（１）図９Ａで示すように被験者が腰臀部を臀部収容空間部８に位置して着座して、背もたれに上体をあずけると腰臀部を吊り下げ浮腰して支持可能である。骨盤２１が吊下げられて浮腰して骨盤２１の重みで筋肉を押圧あるいは略牽引可能である。
座板４と背もたれ２０の間に形成される臀部収容空間部８は臀部と腰部を収容可能な腰臀部収容空間部となる。
（２）図９Ｂ−Ｃで示すように被験者が腰臀部を臀部収容空間部８に位置して着座して、背もたれに上体をあずけると腰臀部周辺の筋肉やツボに座板４の押圧伸展部５が当接しこれを押圧可能である。
（３）図９Ａ、Ｂで示すように被験者が腰臀部を臀部収容空間部８に位置して着座して、背もたれに上体をあずけ、背中をさらに強く背もたれに押し当て骨盤を被験者方向前方に押し出すと、梃子の原理で背中が梃子に背中と背もたれの当接部が支点になり、座骨２２を押圧伸展部５に強く押し当て座骨前部周辺の筋肉を強く押圧伸展することが可能である。
（４）図９Ｄで示すように、被験者が腰臀部を臀部収容空間部８に位置して座骨２２を座板４で前後から挟んで着座すると、被験者の体重で座骨前後の筋肉やツボを押圧伸展することが可能である。
【００２１】  本実施例に示す腰痛対策座具１は座具２と座具支持具３で構成される。座具２と座具支持具３が連携して可能となる機能を説明する。
（１）座具２は座具支持具３に固定されず被験者は任意の位置に座具２を布置可能である。
（２）座具支持具３は座床１０に支持枠１１を有し、挟んで保持して被験者方向正面に略正対して任意の位置に布置可能である。
（３）座具支持具３は座床１０に支持枠１１を有し、座具２を天地方向上下（表裏）に反転してこれを挟持して被験者方向正面に略正対して任意の位置に布置可能である。
（４）座具支持具３は座床１０に支持枠１１を有し、座具２を挟んで保持して前後移動を無段階で微細に制御可能であってさらに任意の位置に布置することができる。
【００２２】  本実施例に示す腰痛対策座具１は、図２に示すように座具受具３に滑止部材１２を設けることができる。座具２は、座具２の底板７と座具受具３の座床１０が当接し発生する摩擦の力を利用して固定可能である。しかし、発生する摩擦の力が弱く滑りやすく固定できない時は、座具２と座具受具３の間に滑止部材１２を設けて固定する事ができる。必要がなければ設けなくても良い。
（１）座具２と座具受具３に滑止部材１２を設けるには、図２に示すように、座具２の底板７に取り付ける。あるいは、座具２と座具受具３の間に座具受具３の上に布置して固定しない。あるいは、図３に示すように、座具受具３に取り付けるといった方法がある。
（２）座具２と座具受具３の間に座具受具３の上に布置して固定しないのであれば、滑止部材１２が消耗し摩擦力が低下したら新しい滑止部材１２に交換し摩擦力を回復することができる。
（３）図示しないが、滑止部材１２には天然ゴムや高分子化合物、マグネットなどを材料に作られたものを使用可能である。これは座具２を無段階で移動し位置することができる。また、公知の技術で製作可能な機械的な構造（例えばシートスライド機器など）の滑止部材１２がある。これは有段階の位置調整になるが、確実に強く位置を保持する事ができる。
【００２３】  図４は座具２（２個の座板４で構成する座具）の中心断面図で、座具２で形成可能な座面の形を示し、矢印Ｙ１は座骨２２を位置可能な座面上の位置（ヒップポイント）を明らかにする。
（１）座板４を操作して座面の形は様々に形成可能で、座面の形が変わるとヒップポイントＹ１は位置が変わる。
（２）ヒップポイントＹ１を選択して、図９で示すように姿勢を変えて押圧伸展部５が当接可能な筋肉やツボを変えることができる。
（３）筋肉やツボを押圧する圧力は、ヒップポイントを臀部収容空間部８の浅い位置に位置すると弱く、ヒップポイントを臀部収容空間部８深い位置に位置すると強くなる。
【００２４】座具２の座面の形と姿勢及び座面の形及び姿勢に応じて変わる押圧伸展される筋肉やツボについて説明する
（１）図５Ａは側面図、図５Ｂは中心断面図である。矢印Ｙ１は被験者が座骨２２を位置するヒップポイントを示す。図９Ａに示すように、被験者が位置すると座骨前部や大腿付根周辺（臀部と大腿部接続部周辺）の筋肉やツボに当接し押圧や押圧伸展が可能である。また、背もたれに上半身をあずけて腰臀部を吊り下げ浮腰して着座することも可能で、腰臀部を吊り下げて座れば骨盤２１の重みで腰部周辺の筋肉を伸展することが可能となる。
（２）図６Ａは側面図、図６Ｂは中心断面図である。矢印Ｙ１は被験者が座骨２２を位置するヒップポイントを示す。図９Ｂに示すように、被験者が位置すると座骨前部の筋肉やツボに当接し押圧や押圧伸展が可能である。
（３）図７Ａは側面図、図７Ｂは中心断面図である。矢印Ｙ１は被験者が座骨２２を位置するヒップポイントを示す。図９Ｃに示すように、座骨２２を挟持して座骨前後の筋肉を強く押圧伸展が可能である。
（４）図８Ａは側面図、図８Ｂは中心断面図である。矢印Ｙ１は被験者が座骨２２を位置するヒップポイントを示す。図９Ｄに示すように、座骨２２を挟持して座骨前後の筋肉を押圧伸展が可能である。
【００２５】  図９で示すように、本実施例に示す腰痛対策座具１の座具２は、座骨前部の筋肉に押圧伸展部５を当接して、或いは、座骨後部の筋肉に押圧伸展部５を当接して、あるいは、座骨前後の筋肉を押圧伸展部５で挟んで当接して、あるいは、大腿付根周辺の筋肉に押圧伸展部５を当接して、筋肉を押圧伸展しツボを押圧する仕組みである。そして、この仕組みでは座骨前部や大腿付根周辺の筋肉を押圧伸展する時間が多いことが明らかである。
（１）同じ姿勢で長く座り続けると押圧伸展部５で押圧されている筋肉に痛みが生じるが、姿勢を変えると押圧伸展部５が当接する筋肉が変わるので痛みを解消することができる。しかし、
（２）長時間座り続けると、特に座骨前部や大腿付根周辺の筋肉は押圧伸展が繰り返されるので、姿勢を変えても解消されず少し残っていた痛みが蓄積されて、姿勢を変えても痛みが解消できなくなることがある。
【００２６】  本実施例に示す腰痛対策座具１の長時間座り続けると姿勢を変えても解消されず少しずつ蓄積される座骨前部や大腿付根周辺の筋肉の痛みを解消する仕組みを説明する。
（１）図１０〜図１３に示すように、本実施例に示す腰痛対策座具１は座具２を、上下に反転し表裏を切り替えて、底板１０の座板４のない面を着座可能な座面として使用する。座具２を反転すれば両座面どちらでも自由に着座することができる。
（２）図示しないが、被験者が座板４のない座面に着座すると、座骨前後の筋肉や大腿付根周辺の筋肉が座板４の押圧伸展部５に当接せず押圧伸展もされない。してみると、座板４を有する座面に着座長時間座り続けて、座骨前後の筋肉や大腿付根周辺の筋肉の痛みが解消できなくなっても、座具２を表裏に反転して座板４のない座面に着座する時間を設けることで座骨前後の筋肉や大腿付根周辺の筋肉の痛みを解消することが可能となる。
【００２７】  本実施例に示す腰痛対策座具１は、筋肉やツボを押圧伸展する機能を座具２と姿勢を形成し支持する機能と筋肉やツボの押圧伸展機能の制御を座具支持具３に分ける構成で、図９で示すように座骨前部の筋肉あるいは座骨後部の筋肉に押圧伸展部５を当接して、又は、座骨前後の筋肉に押圧伸展部５を当接して挟んで、又は大腿付根周辺の筋肉に押圧伸展部５を当接して筋肉を押圧伸展しツボを押圧する仕組みである。
図１０〜図１３に示すように、座具２を上下に反転し表裏を切り替えて、底板１０の座板４のない面を着座可能な座面として使用することを可能とする仕組みであって、座板４のない座面に着座する時間を設けることが可能となり、同じ姿勢あるいは姿勢を変えながらでも長く座り続けると押圧伸展部５で押圧される座骨前後の筋肉や大腿付根周辺の筋肉に生じる痛みを解消可能な仕組みである。
【００２８】  図９は本発明の第１実施例で座板４の使い方の説明図であり、腰痛対策座具１の座り方の説明図である。説明の便宜上省いてあるが、実際に腰痛対策座具１に着座する場合はクッションをお尻の下に敷いてから座る。
【００２９】  ［第２実施形態］
以下、本実施形態について説明する。
【００３０】  本実施例の腰痛対策座具１は、図１４で示すように、一方の面（表面）に座板４を取り付けて、反対側の面（裏面）にザブトン２４を取り付けた座具２と座具受具３で構成する腰痛対策座具１である。裏面を表にすると座板４が座具受具３の座床１０で受持されるが、座板４が滑り座具２の位置が不安定である。滑止部材１２を座板４と座具受具３の間に設けることでこれを防いで安定させることが可能である。
【００３１】  図１５はザブトン２４を表にして、座板４を裏にした座具２である。ザブトン２４は座具２に容易に脱着可能なベロクロテープ（マジックテープ）などで取り付ける。あるいは貼り付けて固定する。また紐で結んで取り付けるなどの方法がある。
【００３２】  図１６Ａはザブトン２４を表にした座具２の側面図である。
図１６Ｂはザブトン２４を表にした座具２の中心断面図である。
【００３３】  ［第３実施形態］
以下、本実施形態について説明する。
【００３４】  本実施例の腰痛対策座具１は、図１７、図１８に示すように、座具２を被験者方向前後に回転して入れ替え使用可能である。
【００３５】  ３個の座板４は回転して様々な形状の座面を形成することが可能である。
被験者が腰臀部を臀部収容空間部８に位置して背もたれに上体をあずけて腰臀部を吊り下げて着座することは難しく骨盤２１の重みを利用して筋肉を押圧あるいは略牽引するなどの機能は２個の座板４で構成する座具２に較べると劣る。しかし、
（１）被験者が腰臀部を臀部収容空間部８に位置して着座し、背もたれに上体をあずけて腰臀部（座骨２２）を座板４の押圧伸展部５に当接し押圧する機能や、
（２）さらに背中を背もたれに強く押し当て、骨盤を強く被験者方向前方に押し出すと、梃子の原理で座骨２２を押圧伸展部５に強く押し当てて座骨前部の筋肉を強く押圧する機能や、
（３）被験者が腰臀部を臀部収容空間部８に位置して着座している間に、被験者の体重を利用して、座骨前後の筋肉を押圧伸展しツボを押圧する機能は、座面の形をより多く細かく設定可能なだけ優れてより効果的である。
【００３６】    ［第４実施形態］
以下、本実施形態について説明する。
【００３７】  本実施例の腰痛対策座具１は、図１９、図２０に示すように座具２と座具受具３を組み合わせて使用する腰痛対策器具である。
（１）座具
Ａ．座具２は１個の座板４と２本の横枠６で構成する。
Ｂ．座板４には、筋肉やツボに当接して押圧又は伸展可能な座具の幅方向で左右に延伸する押圧伸展部（押圧頂面）５があって、
Ｃ．横枠６を座板４の左右両側に取り付けて固定したものである。また、
Ｄ．図示していないが、座板４に回転軸１３を設け、横枠に回転軸１３を取り付ける軸受部１９を設けて、座板４の回転軸１３を軸受部１９に差し込んで横枠６に取り付けて、座板４を被験者方向前後に回転可能に取り付けることも可能である。また、底板７を座具２の底面に設けることができるが、いずれにするか任意である。
（２）座具受具
Ａ．座具受具３は１個の座板４と２本の支持枠１１と１枚の滑止部材１２と１枚の座床１０と、筋肉やツボに当接して押圧又は伸展可能な座具の幅方向で左右に延伸する押圧伸展部（押圧頂面）５を有する座板４で構成する。滑止部材１２は必要がなければ設けなくても良い。
Ｂ．座板４を座床１０の被験者方向前部の概中央部に取り付け、
Ｃ．支持枠１１を座床１０の左右に座具を挟んで布置可能な位置に取り付ける。
Ｄ．支持枠１１は座具２の２本の横枠６が座板４と支持枠１１との間を前進後退が可能で、かつ座具２が前後に移動可能に取り付ける。
【００３８】  図２０に示すように座具受具３に取り付けた座板４で挟んで布置した座具２を、矢印Ｙ３に示すように被験者方向前後にスライドして使用可能である。また、矢印Ｙ４に示すように被験者方向前後に反転して、あるいは、さらにスライドして使用することができる。
【００３９】  図１９に示すように、
（１）被験者が位置すると座骨前部の筋肉やツボに当接し押圧や押圧伸展が可能である。（実施例１の図９Ｂを参照）
（２）座骨２２を挟持して座骨前後の筋肉を強く押圧伸展が可能である。（実施例１の図９Ｃを参照）
（３）座骨２２を挟持して座骨前後の筋肉を押圧伸展が可能である。（実施例１の図９Ｄを参照）
【００４０】  座具２は合成ゴムなど高分子化合物や、プラスチックなど樹脂を材料に成形加工で一本の構造で製作可能である。座板４が固定される。座板４が固定されると回転する仕組みと比較して機能が低下する。図示していないが、例えば木などを材料にパーツ別に製作して公知の技術を用いて座板４を回転可能に製作可能である。座具受具３の座板４を回転させるか固定するかの構造の選択は任意である。
【００４１】  ［第５実施形態］
以下、本実施形態について説明する。
【００４２】  本実施例の腰痛対策座具１は、図２１に示すように座具２と座具受具３を組み合わせて使用する腰痛対策器具である。
（１）座具
Ａ．座具２は２本の横枠６と、座板４と、１枚の底板７で構成する。
Ｂ．座板４は筋肉やツボに当接して押圧又は伸展可能な座具の幅方向で左右に延伸する押圧伸展部５と回転軸１３を有し、横枠は回転軸１３を取り付ける軸受部１９を有する。
Ｃ．横枠６を座板４が回転可能に座板４の左右両側に取り付けて、さらに
Ｄ．座板４を取り付けた横枠６を底板７に取り付けたものである。
（２）座具受具
Ａ．座具受具３は、１個の座板４と２本の支持枠１１と１枚の滑部材１２と１枚の座床１０で構成する。
Ｂ．座板４は筋肉やツボに当接して押圧又は伸展可能な座具の幅方向で左右に延伸する押圧伸展部５と回転軸１３を有し、横枠は回転軸１３を取り付ける軸受部１９を有する。
Ｃ．支持枠１１を座板４が回転可能に座板４の左右両側に取り付けて、座板４を取り付けた支持枠１１を座床１０に取り付けたもので、
Ｄ．座具受具３は、座床１０の被験者方向後部に座具２の座板４を収容可能な座板収容空間部１４を形成可能で、さらに
Ｅ．座床１０の被験者方向前部で、座板４と座床１０の間に底板挿入空間部３０を形成可能である。
【００４３】  図２１、図２２Ａに示すように、座具受具３の座板４の下方に設けた底板収容空間部３０に座具２の底板７をスライドして挿入して使用し、座骨前部の筋肉に押圧伸展部５を当接して、あるいは大腿付根周辺の筋肉に押圧伸展部５を当接して、筋肉を押圧伸展しツボを押圧する仕組みである。（実施例１の図９Ｂ、Ｃを参照）また、
図２１、図２２に示すように、座具２を被験者方向前後に反転して使用することができる。座骨前後の筋肉を押圧伸展部５で挟んで当接して筋肉を押圧伸展しツボを押圧する仕組みである。（実施例１の図９Ｄを参照）また、
座具２を天地方向上下に反転して座具２の座板４を座板収容空間部１４に収容して底板７を水平に保持可能で被験者は両面どちらにも着座可能な仕組みである。
【００４４】  矢印Ｙ３は座具２のスライド方向を示し、矢印Ｙ５は座具２の天地上下の反転方向を示す。
【００４５】  座具２は合成ゴムなどの高分子化合物やプラスチックなどの樹脂を材料に成形加工で製作可能である。
【００４６】  ［第６実施形態］
以下、本実施形態について説明する。
【００４７】  本実施例に示す腰痛対策座具１は、図２３に示すように、座具２と座具受具３を組み合わせて使用する腰痛対策器具である。
（１）座具
Ａ．座具２は２本の横枠６と、２個の座板４と、１個の心棒１７と１枚の底板７で構成する。
Ｂ．座板４は筋肉やツボに当接して押圧又は伸展可能な座具の幅方向で左右に延伸する押圧伸展部５と軸受部１９を有し、横枠は回転軸１３を取り付ける軸受部１９を有する。
Ｃ．軸受部１９に心棒１７を通して２個の座板４を並べて繋ぎ、かつ回転可能に取り付けて、さらに座板４を取り付けた心棒１７の左右両端に横枠６を取り付け、心棒１７を取り付けた横枠６を底板７に取り付けたものである。なお、心棒１７は横枠６の被験者方向前方位置に固定具１６で取り付けられる。
（２）座具受具
Ａ．座具受具３は２個の座板４と２本の支持枠１１と１枚の座床１０と筋肉やツボに当接して押圧又は伸展可能な座具の幅方向で左右に延伸する押圧伸展部（押圧頂面）５を有する座板４で構成する。
Ｂ．２個の座板４を座床１０の被験者方向前部の概中央部に並んで取り付け（並置）、
Ｃ．支持枠１１を座床１０の左右に座具を挟んで布置可能な位置に取り付ける。
Ｄ．支持枠１１は座具２の２本の横枠６が座板４と支持枠１１との間を前進後退が可能で、かつ座具２が前後に移動可能に取り付ける。
【００４８】  図２４で示すように本実施例の腰痛対策座具１は、座具２を前後に回転あるいは図示しないが上下表裏を反転しあるいは座具２の座板４を回転するなどして自在に組み合わせて座面の形を変更することができる。
【００４９】  図２４Ａは第１実施例の図９Ａに示す座り方を可能とする座面である。図２４Ｂは図２４Ａを被験者方向前後に反転したもので、第１実施例の図９（Ａ、Ｃ、Ｄ）に示す座り方を可能とする座面である。
【００５０】  本実施例に示す腰痛対策座具１の座具２と座具支持具３で構成して、座具２と座具支持具３が連携して可能となる機能について、詳細は、第１実施形態の第００１８、００２０、００２１項に記載してあり、ここでは省略する。
【００５１】  図示しないが、座具受具３は第４実施例の図１９の座具受具３の構造の一部又は全部を用いても良い。
【００５２】  ［第７実施形態］
以下、本実施形態について説明する。
【００５３】  本実施例に示す腰痛対策座具１は、図２５に示すように、座具２と座具受具３を組み合わせて使用する腰痛対策器具である。
（１）座具
Ａ．座具２は２本の横枠６と、２個の座板４と、１個の心棒１７と固定具１６と１枚の底板７で構成する。
Ｂ．座板４は筋肉やツボに当接して押圧又は伸展可能な座具の幅方向で左右に延伸する押圧伸展部５と軸受部１９を有し、横枠は回転軸１３を取り付ける軸受部１９を有する。
Ｃ．軸受部１９に心棒１７を通して２個の座板４を並べて繋ぎ、かつ回転可能に取り付けて、さらに座板４を取り付けた心棒１７の左右両端に横枠６を取り付け、心棒１７を取り付けた横枠６を底板７に取り付けたものである。なお、心棒１７は横枠６の被験者方向前方位置に固定具１６で取り付けられる。
（２）座具受具
第４実施例の図１９の座具受具３である。他に、第５実施例の図２１で示した座具受具３の構造の一部又は全部を用いても良い。
【００５４】本実施例に示す腰痛対策座具１は、
（１）底板７の座板４を取り付けた反対側を被験者が着座可能な座面として使用可能である。
（２）座具２に横置き並置した２個の座板４は被験者方向左右にスライド可能で固定具１６で固定可能である。
【００５５】  図２５で明らかなように腰痛対策座具１は、被験者の体形に合わせることが簡単にいつでもできる構造である。極端にお尻の大きい人や極端に小さい人でも、座具２を被験者方向前後にスライドして臀部収容空間部８の間隔を調整し、又は座具受具３に取り付けた座板４を被験者方向左右にスライドして座板４の間隔を調整し、体形に合わせて座面の形を調整し使用することが可能である。
【００５６】  図２６Ｂで示すように腰痛対策座具１は、座具２に取り付けた座板４を被験者方向前後に回転可能である。座具２を被験者方向前後にスライドして、さらに座具２に取り付けた座板４を被験者方向前後に回転すれば臀部収容空間部８の間隔は細かく調整が可能となる。
【００５７】  図２５Ａは第１実施例の図９Ａに示す座り方を可能とする座面である。
図２５Ｂは図２５Ａを被験者方向前後に反転したものである。
【００５８】  本実施例に示す腰痛対策座具１の座具２と座具支持具３で構成して、座具２と座具支持具３が連携して可能となる機能について、詳細は、第１実施形態の第００１８、００２０、００２１項に記載してあり、ここでは省略する。
【００５９】  ［第８実施形態］
以下、本実施形態について説明する。
【００６０】  本実施例に示す腰痛対策座具１は図２７、図２８に示すように座具２と座具受具３を組み合わせて使用する腰痛対策器具である。
（１）座具
Ａ．２本の横枠６と２個の座板４と底板７で構成し、
Ｂ．座板４には筋肉やツボに当接して押圧又は伸展可能で、座具の幅方向で左右に延伸する押圧伸展部５があって、
Ｃ．横枠６には被験者方向前方に座板４の回転軸を取り付ける軸受部１９と被験者方向後方に座板４の回転軸を取り付ける長穴１８があって、
Ｄ．横枠６の軸受部１９に座板４を回転可能に取り付けて、横枠６の長穴１８に座板４を回転可能で、又スライド可能に取り付けて、さらに座板４を取り付けた横枠６を底板７に取り付けたものである。
（２）  座具受具
Ａ．座具受具３は２本の支持枠１１と座床１０で構成し、
Ｂ．支持枠１１は座具受持部１５を有し、
Ｃ．座具受持部１５は座具２の横枠６を下から受持して保持可能であって、
Ｄ．座床の後方に、座板４の座板部２３を収納可能な座板収納部１４（臀部収容空間部８）を形成可能に、
Ｄ．支持枠１１の被験者方向前部に座床１０を取り付けたものである。
【００６１】    座板収納部１４は図２７で示すように、座具２の後方に形成して座板４の座板部２３を収納可能な空間部である。
（１）図２７で示すように座具２を天地方向上下（矢印Ｙ５）に反転して、座板収容空間部１４（臀部収容空間部）に図２８Ｂに示すように座板部２３を収納すると、座具２で座板収容空間部１４に蓋を被せることができる。さらに、
（２）図２８Ａで示すように座具２の底板７と座具受具３の座床１０で形成される座面は被験者が腰臀部を位置して着座可能である。
【００６２】  図２７は、座骨２２が座具２の座板４や座具受具３の座床１０に触れず腰臀部を吊り下げて浮腰した状態で被験者を支持可能で骨盤２１の重量で腰部周辺の筋肉を略牽引可能な腰痛対策座具１である。
【００６３】  本実施例に示す腰痛対策座具１の座具２と座具支持具３で構成して、座具２と座具支持具３が連携して可能となる機能について、詳細は、第１実施形態の第００１８、００２０、００２１項に記載してあり、ここでは省略する。
【００６４】  本実施例に示す腰痛対策座具１の座具２の座面の形と姿勢及び座面の形及び姿勢に応じて変わる押圧伸展される筋肉やツボについて、詳細は、第１実施形態の第００２４項に記載してあり、ここでは省略する。
【００６５】  本実施例に示す腰痛対策座具１の長く座り続けると同じ姿勢あるいは姿勢を変えても押圧伸展部５で押圧される座骨前後の筋肉や大腿付根周辺の筋肉に生じる痛みを解消可能な仕組みについて、詳細は、第１実施形態の第００２５−００２７項に記載してあり、ここでは省略する。
【００６６】  図示しないが、座板４は矢印Ｙ５で示すように座具２を天地方向上下に回転して座具受持部１５に付置した時、座板４が垂下しないように公知の技術を用いて固定可能である。例えばマグネットやベロクロテープなどの利用が可能である。
【００６７】  本実施例の腰痛対策座具１の構造や仕組みの全部又は一部を用いて腰痛改善機能を有する一人掛けの椅子や複数人が座る長椅子やベンチを作ることができる。
【００６８】  ［第９実施形態］
以下、本実施形態について説明する。
【００６９】  図３１Ａは座具２と第１実施例の腰痛対策座具１の仕様で椅子仕様の座具受具３で構成する椅子型の腰痛対策椅子１である。また、図３１Ｂは座具２と第８実施例の腰痛対策座具１の仕様で椅子仕様の座具受具３で構成する椅子型の腰痛対策椅子１である。
【００７０】  図３１Ｂに表す椅子は、第８実施例の図２７Ａで明らかなように臀部収容空間部８と座板収容空間部１４があって、臀部収容空間部８と座板収容空間部１４を利用して便座として使用が可能な椅子である。
【００７１】  図３１Ｂに表す椅子は、平素は腰痛者に優しい椅子として使いながら、災害時は臀部収容空間部８と座板収容空間部１４を利用して非常用の便座として使用可能である。
しかも、平素の置き場に困らない。機能と利便性の両方を備えた椅子である。
【００７２】  ［第１０実施形態］
以下、本実施形態について説明する。
【００７３】  本実施例に示す腰痛対策座具１は図３２、図３３に示すように座具２と座具受具３を組み合わせて使用する腰痛対策器具である。最も安価で製作可能な仕組み・構造の腰痛対策器具である。
（１）座具
Ａ．２個の座板４で構成する。
Ｂ．座板４には筋肉やツボに当接して押圧又は伸展可能で、座具の幅方向で左右に延伸する押圧伸展部５がある。
Ｃ．座板４には被験者方向前に位置する座板４に回転軸１３を取り付ける長穴１８と、被験者方向後に位置する座板４に回転軸１３を取り付ける軸受部１９がある。また、被験者方向前に位置する座板４には概中央部に角部があって、被験者方向後に位置する座板４には左右に角部がある。
Ｄ．被験者方向前に位置する座板４の軸受部１９と被験者方向後に位置する座板４の長穴１８に、回転軸１３を挿し入れて、被験者方向前に位置する座板４が回転可能で、被験者方向後に位置する座板４が回転とスライドが可能に組み立てる。
（２）座具受具
Ａ．座具受具３は２本の支持枠１１と１枚の座床１０で構成する。
Ｂ．座床１０に座具２を左右両側から挟んで布置可能で、さらに
Ｄ．座具２が前後に移動可能に支持枠１１を取り付けたものである。
【００７４】  押圧伸展部５は臀部収容空間部８が形成されて機能（作用）する。
（１）図３３で明らかなように、座板４の座具２の幅方向に延伸する概角部にあり、
（２）被験者が腰臀部を臀部収容空間部８に位置すると当接する筋肉やツボを押圧又は伸展可能な頂面である。
【００７５】  本実施例に示す腰痛対策座具１を構成する座具２の筋肉やツボを押圧伸展する機能と仕組みを説明する。なお、図示していないが腰痛対策座具１を実際に使用する場合は座具２の上に座布団などのクッションを置いて使用される。
（１）図３４、３５で示すように被験者が腰臀部を臀部収容空間部８に位置して着座して、背もたれに上体をあずけると腰臀部を吊り下げ浮腰して支持可能である。骨盤２１が吊下げられて浮腰して骨盤２１の重みで筋肉を押圧あるいは略牽引可能である。（図９Ａを参照）
（２）図３４の座具２を被験者方向前後に反転して、で示すように被験者が腰臀部を臀部収容空間部８に位置して着座して、背もたれに上体をあずけると腰臀部周辺の筋肉やツボに座板４の押圧伸展部５が当接しこれを押圧可能である。
（３）第１実施例の図９Ａ、Ｂで示すように被験者が腰臀部を臀部収容空間部８に位置して着座して、背もたれに上体をあずけ、背中をさらに強く背もたれに押し当て骨盤を被験者方向前方に押し出すと、梃子の原理で背中が梃子に背中と背もたれの当接部が支点になり、座骨２２を押圧伸展部５に強く押し当て座骨前部周辺の筋肉を強く押圧伸展することが可能である。（図９Ｂを参照）
【００７６】  本実施例に示す腰痛対策座具１は座具２と座具支持具３で構成される。座具２と座具支持具３が連携して可能となる機能を説明する。
（１）座具２は座具支持具３に固定されず被験者は任意の位置に座具２を布置可能である。
（２）座具支持具３は座床１０に支持枠１１を有し、座具２を挟んで保持して被験者方向正面に略正対して任意の位置に布置可能である。
（３）座具支持具３は座床１０に支持枠１１を有し、座具２を挟んで保持して前後移動を無段階で微細に制御可能であってさらに任意の位置に布置することができる。
【００７７】  本実施例に示す腰痛対策座具１の座具２は、座骨前部の筋肉に押圧伸展部５を当接して、或いは、大腿付根周辺の筋肉に押圧伸展部５を当接して、筋肉を押圧伸展しツボを押圧する仕組みである。そして、この仕組みでは座骨前部や大腿付根周辺の筋肉を押圧伸展する時間が多くなることも明らかである。（図９を参照）
（１）同じ姿勢で長く座り続けると押圧伸展部５で押圧されている筋肉に痛みが生じるが、姿勢を変えると押圧伸展部５が当接する筋肉が変わるので痛みを解消することができる。しかし、
（２）長時間座り続けると、座骨前部や大腿付根周辺の筋肉は押圧伸展が繰り返されるので、姿勢を変えても解消されず少し残っていた痛みが蓄積されて、姿勢を変えても痛みが解消できなくなることがある。
【００７８】  本実施例に示す腰痛対策座具１の長時間座り続けると姿勢を変えても解消されず少しずつ蓄積される座骨前部や大腿付根周辺の筋肉の痛みを解消する仕組みを説明する。
（１）座具２を被験者方向前に位置する座板４と被験者方向後に位置する座板４の接続部で被験者方向後に位置する座板４を回転して被験者方向前に位置する座板４の後端部に、被験者方向後に位置する座板４の後端部を当接して屈曲させた座面を形成すると、被験者が着座して座骨前部や大腿付根周辺の筋肉を押圧伸展することができる。
（２）被験者方向前に位置する座板４と被験者方向後に位置する座板４を回転させない平面の座面では押圧伸展部５は形成されない。してみると、被験者が座面に着座しても座骨前後の筋肉や大腿付根周辺の筋肉が座板４の押圧伸展部５に当接することも押圧伸展されることもない。よって、座板４を有する座面に着座長時間座り続けて、座骨前後の筋肉や大腿付根周辺の筋肉の痛みが解消できなくなっても、座具２座面を平面にして押圧伸展部５が形成されていない座面に着座する時間を設けることで座骨前後の筋肉や大腿付根周辺の筋肉の痛みを解消することが可能となる。
【００７９】  ［第１１実施形態］
以下、本実施形態について説明する。
【００８０】  本願の腰痛対策座具は、第１実施形態〜第１０実施形態に示す腰痛対策座具１の座具２と座具受具３を一部又は全部を自由に組み合わせ、あるいは座具２と座具受具３の仕組みを一部又は全部を自由に組み替えて製作することができる。本実施例に示す図３６の腰痛対策座具１は、図３２の座具２と、図２５の座具受具３に図２１の座具受具３の座板を回転する仕組みを用いて製作した座具受具３とで構成する一例である。
（１）座具は、座具２の幅方向で左右に延伸する押圧伸展部５を有する座板４、又は回転軸１３と座具２の幅方向で左右に延伸する押圧伸展部５を有する座板４、又は回転軸１３を取り付け可能な軸受部１９と座具２の幅方向で左右に延伸する押圧伸展部５を有する座板４、又は回転軸１３を取り付け可能な長穴１８と座具の幅方向で左右に延伸する押圧伸展部５を有する座板４など、部材があって機能、構造、仕組みなど必要に応じて選択し組み合わせて使用可能である。
（２）座具受具は、支持枠１１、又は座床１０、又は筋肉やツボに当接して押圧又は伸展可能な座具の幅方向で左右に延伸する押圧伸展部（押圧頂面）５を有する座板４、又は滑部材１２など、部材があって機能、構造、仕組みなど必要に応じて選択し組み合わせて使用可能である。
【符号の説明】
【００８１】  １  腰痛対策座具
２  座具
３  座具受具
４  座板
５  押圧伸展部
６  横枠
７  底板
８  臀部収容空間部
９  穴
１０  座床
１１  支持枠
１２  滑止部材
１３  回転軸
１４  座板収容空間部（臀部収容空間部）
１５  座具受持部
１６  固定具
１７  心棒
１８  長穴（回転軸スライド溝）
１９  軸受部
２０  背もたれ
２１  骨盤
２２  座骨
２３  座板部
２４  ザブトン
２５  椅子
３０  座板挿入空間部
３１  角部（ツノ）
Ｈ  被験者
【図１】
2019188101.tif 000003
【図２】
2019188101.tif 000004
【図３】
2019188101.tif 000005
【図４】
2019188101.tif 000006
【図５】
2019188101.tif 000007
【図６】
2019188101.tif 000008
【図７】
2019188101.tif 000009
【図８】
2019188101.tif 000010
【図９】
2019188101.tif 000011
【図１０】
2019188101.tif 000012
【図１１】
2019188101.tif 000013
【図１２】
2019188101.tif 000014
【図１３】
2019188101.tif 000015
【図１４】
2019188101.tif 000016
【図１５】
2019188101.tif 000017
【図１６】
2019188101.tif 000018
【図１７】
2019188101.tif 000019
【図１８】
2019188101.tif 000020
【図１９】
2019188101.tif 000021
【図２０】
2019188101.tif 000022
【図２１】
2019188101.tif 000023
【図２２】
2019188101.tif 000024
【図２３】
2019188101.tif 000025
【図２４】
2019188101.tif 000026
【図２５】
2019188101.tif 000027
【図２６】
2019188101.tif 000028
【図２７】
2019188101.tif 000029
【図２８】
2019188101.tif 000030
【図２９】
2019188101.tif 000031
【図３０】
2019188101.tif 000032
【図３１】
2019188101.tif 000033
【図３２】
2019188101.tif 000034
【図３３】
2019188101.tif 000035
【図３４】
2019188101.tif 000036
【図３５】
2019188101.tif 000037
【図３６】
2019188101.tif 000038